(57)【特許請求の範囲】
【請求項１】
ブランクから組み立てるフランジ部を有する紙トレーと、この紙トレー内面に合成樹脂フィルムを一体化してなる紙製トレー状容器において、前記紙トレーは底板１の上下、及び左右に折り目を介してそれぞれ側板２、２、３、３と該側板３、３の両端にそれぞれ三角コーナー板４とを備え、前記上下の側板２、２の上辺の左右に張り出した部分にフランジ板７を設けており、一方、左右の側板３、３の外辺にフランジ板８を備えたブランクを折り曲げ成形し、前記フランジ板７と８の端部を重ね合わせたフランジ部を形成した開口部を有する構造で、前記紙トレーの開口部のフランジ部と同形状の枠体９を有し、この枠体９の内辺に紙トレーの前記全側板、又は全側板と全三角コーナー板とに対して相似形で略同じ大きさの補助板を連設した被覆体Ａを、前記紙トレーの内面側からフランジ部と側板に、前記被覆体Ａのそれぞれ枠体と補助板を重ね合わせて固定した容器本体の内面に合成樹脂フィルムを密着したことを特徴とする紙製トレー状容器。
【発明の詳細な説明】
【０００１】
【発明の属する技術分野】
本発明は、紙トレーと合成樹脂フィルムとを一体化した紙製トレー状容器の改良に関する。
【０００２】
【従来の技術】
冷凍食品等を収納する紙製容器として、板紙と合成樹脂フィルムとの複合容器がよく用いられている。例えば、特開平１０−１０１０５５号公報で表されるような紙製ブランクを用いて製函された紙製トレーの内面に合成樹脂フィルムを密着させた紙製トレー状容器が知られている。
【０００３】
上記に示された紙製トレー状容器は、蓋材で封緘できる密封性紙製トレー状容器であって、トレー状容器の上部開口部の全周にフランジ部が形成されている。このフランジ部は各フランジ板の端部同士を互いに重ね合わせて形成することにより外力に対する上部開口部の変形の防止と、蓋材との密着強度を向上させている。
【０００４】
ところが、図７に示すように、蓋材を接着し密封する際にフランジ部は各フランジ板の重なりの段差があるために、完全密封するのが困難だった。また、各フランジ板の端部同士を重ね合わせて強度を持たせてはいたが、フランジ板が一重ということもあり、十分な強度は出せていなかった。
【０００５】
【発明が解決しようとする課題】
本発明の課題は、紙製トレーのフランジ部と蓋材との密封性の向上と、しっかりした強度を持った保形性の向上を兼ね備えた紙製トレー状容器を提供することにある。
【０００６】
【課題を解決するための手段】
本発明は、ブランクから組み立てるフランジ部を有する紙トレーと、この紙トレー内面に合成樹脂フィルムを一体化してなる紙製トレー状容器において、前記紙トレーは底板１の上下、及び左右に折り目を介してそれぞれ側板２、２、３、３と該側板３、３の両端にそれぞれ三角コーナー板４とを備え、前記上下の側板２、２の上辺の左右に張り出した部分にフランジ板７を設けており、一方、左右の側板３、３の外辺にフランジ板８を備えたブランクを折り曲げ成形し、前記フランジ板７と８の端部を重ね合わせたフランジ部を形成した開口部を有する構造で、前記紙トレーの開口部のフランジ部と同形状の枠体９を有し、この枠体９の内辺に紙トレーの前記全側板、又は全側板と全三角コーナー板とに対して相似形で略同じ大きさの補助板を連設した被覆体Ａを、前記紙トレーの内面側からフランジ部と側板に、前記被覆体Ａのそれぞれ枠体と補助板を重ね合わせて固定した容器本体の内面に合成樹脂フィルムを密着したことを特徴とする紙製トレー状容器である。
【０００７】
【発明の実施の形態】
本発明の紙製トレー状容器を、実施の形態に沿って以下に詳細に説明する。
【０００８】
図１は、本発明の紙製トレー状容器に用いる紙製トレーのブランクの一実施形態を示す平面図である。
【０００９】
底板１の上下に各々折目ａを介して側板２が連設され、また、左右に各々折目ｂを介して側板３が連設されている。
【００１０】
また、前記側板３の両端部には、それぞれ折目ｃを介して三角コーナー板４が連設され、かつこの三角コーナー板４の長辺側に、折目ｅを介して重合板６が連設されている。
【００１１】
一方、前記側板２の外側に折目ｆを介して左右に張り出した部分が内側に湾曲した帯状のコーナー部７ａを備えたフランジ板７が連設され、また、各々側板３の外側に折目ｇを介してフランジ板８が連設されている。
【００１２】
ここで、フランジ板７、８は、どちらか一方にコーナー部を備えていればよく、言い換えると、フランジ部を形成した際、強度を出すためにフランジ板７、８の端部同士が重なる構造であればよい。
【００１３】
上記三角コーナー板４は、折目ｃ、ｅを二等辺とする二等辺三角形である。尚、この三角コーナー板４の頂角θは、０°≦θ＜９０°の範囲であればよく、好ましくは１５°≦θ≦３０°の範囲である。
【００１４】
また、図２は本発明の紙製トレー状容器に用いる被覆体の一実施形態を示す平面図である。
【００１５】
前記フランジ板７、８により形成されるフランジ部と略同形の枠体９と、その内側から中心に向かって折目ｈ、ｉ、ｊを介して延びる補助板１０、１０、１１、１１が連設されている。
【００１６】
また、図３は本発明の紙製トレー状容器に用いる被覆体の他の実施形態を示す平面図である。
【００１７】
前記フランジ板７、８により形成されるフランジ部と略同形の枠体９と、その内側から中心に向かって折目ｈ、ｉ、ｊを介して延びる補助板１０、１０、１１、１１、１２、１２、１２、１２が連設されている。
【００１８】
上記枠体９の幅は、フランジ板７、８で形成されるフランジ部の幅より小さくても、等しくてもあるいは広くてもよく、フランジ部の上面に重なる構造であればよい。
【００１９】
ここで、上記枠体９をフランジ板７、８で形成されるフランジ部の幅より広くなるようにして、被覆体Ａのフランジ部の外周に張り出した部分と蓋材Ｂとを接着するようにすると、フランジ部の段差の影響が完全になくなり、接着時の蓋材Ｂと被覆体Ａの枠体９との密着性が良好となり、その結果、更に紙製トレー状容器の密封性が向上する。
【００２０】
また、上記補助板１０、１１、または補助板１０、１１、１２は、側板２、３、または側板２、３、三角コーナー板４の内面に固定できれば、形状、大きさは限定されない。
【００２１】
本発明においては、補助板１０、１１の両方ではなく、補助板１０または補助板１１のいずれか一方を設けた構成でもよいが、補助板１０、１１の両方を設けることにより、被覆体を紙製トレーの開口部に位置決め、固定しやすくなる。
【００２２】
また、補助板１０、１１の形状は、それぞれ紙製トレーの側板の形状の相似形で、側板と略同じ大きさであることが好ましい。
【００２３】
また、補助板１２を設けることにより、紙製トレーの三角コーナー板４とコーナー部７ａの隙間が埋まり、容器本体の密封性が向上する。
【００２４】
また、補助板１０、１１、１２の形状は、それぞれ紙製トレーの側板、三角コーナー板の形状の相似形で、側板、三角コーナー板と略同じ大きさであることが好ましい。
【００２５】
次に、図１に示すブランクを用いた紙製トレーの製造方法を説明する。
まず、側板２、２、３、３を折目ａ、ｂを介して折り曲げる。次に、側板３を折目ｃ、ｅを介して三角コーナー板４、重合板６を折目ａと同一方向に折り曲げる。側板２、３を折目ｆ、ｇを介してフランジ板７、８を折目ａと反対方向に折り曲げる。
【００２６】
続いて、底板１に対して折目ａ、ｂに沿って側板２、３を立ち上げ、三角コーナー板４の折目ｅと側板２の端縁が一致するように重合板６と側板２を重ね合わせ、フランジ板７のコーナー部７ａの先端部７ｂとフランジ板８を重ね合わせてフランジ部を形成し、図４に示すような紙製トレーを形成する。
【００２７】
次に、図２に示す被覆体Ａの製造方法について説明する。
まず、補助板１０、１０を折目ｈを介して折り曲げる。次に、補助板１１、１１を折目ｉを介して、折目ｈと同一方向に折り曲げる。
【００２８】
そして、図４に示した紙製トレーに、図２に示した被覆体Ａを被せて嵌め込み、固定し、図５に示す容器本体を製造する。この時、被覆体Ａを紙製トレーに接着固定し、枠体および補助板が、密着した状態とすることが好ましい。
【００２９】
次に、図３に示す被覆体Ａの製造方法について説明する。
まず、補助板１０、１０を折目ｈを介して折り曲げる。次に、補助板１１、１１を折目ｉを介して、折目ｈと同一方向に折り曲げる。更に、補助板１２、１２、１２、１２を折目ｊを介して、折目ｈ、ｉと同一方向に折り曲げる。
【００３０】
そして、図４に示した紙製トレーに、図３に示した被覆体Ａを被せて嵌め込み、固定し、図６に示す容器本体を製造する。この時、被覆体Ａを紙製トレーに接着固定し、枠体および補助板が、密着した状態とすることが好ましい。
【００３１】
製函用の金型内に前記容器本体を装填し、図８（ａ）に示すように上側から加熱して軟化状態にした合成樹脂フィルムＦを載せ、これを真空、及び圧空の力により、図８（ｂ）に示すように紙製トレー及び被覆体からなる容器本体の内面に密着してシート成形し、本発明の紙製トレー状容器を製造する。尚、必要に応じて余分なフィルム端部などは裁断除去する。
【００３２】
ここで、図８（ｃ）は、図８（ｂ）に示す紙製トレー状容器に蓋材Ｂを接着させた状態を示す側面図である。
【００３３】
使用する合成樹脂フィルムＦの厚さ、樹脂材質は、加熱真空成形に適した厚さの樹脂、及び包装する内容物に良好に適応する樹脂であれば、本発明においては特に限定されず、例えば、厚さ３０μｍ〜１００μｍ、あるいは１００μｍ〜３００μｍ程度のポリエチレン、ポリプロピレン、ポリエチレンテレフタレートなどの合成樹脂が適当である。
【００３４】
この時、紙製トレーの重合板６は、側板２の内側になるように重ねると、外側からの見た目がすっきりして印刷の制約がないし、一方、重合板６を側板２の外側になるように重ねると、シート成形時のフィルムＦと紙製トレーの内面との密着性がより向上する。
【００３５】
【発明の効果】
本発明の紙製トレー状容器は、被覆体を部材として追加することでフランジ部の表面にフランジ部の重なりによる段差がなくなって接着時の蓋材と被覆体の枠体との密着性が良好となり、その結果、更に紙製トレー状容器の密封性が向上する。また、フランジ部の上部に被覆体の枠体が重なり二重構成となるので十分な強度が出て、開口部の変形を防ぎ、保形性の効果も得られる。更に、補助板を設けることによって、フランジ部と枠体を重ね合わせる際の位置決めの効果も得られる。
【図面の簡単な説明】
【図１】本発明の紙製トレー状容器に用いる紙製トレーのブランクの一実施形態を示す平面図。
【図２】本発明の紙製トレー状容器に用いる被覆体Ａのブランクの一実施形態を示す平面図。
【図３】本発明の紙製トレー状容器に用いる被覆体Ａのブランクの他の実施形態を示す平面図。
【図４】図１に示したブランクの組み立て状態を示す説明図。
【図５】図４に示した紙製トレーに、図２に示した被覆体Ａを固定した容器本体を示す説明図。
【図６】図４に示した紙製トレーに、図３に示した被覆体Ａを固定した容器本体を示す説明図。
【図７】（ａ）〜（ｃ）は、従来の容器本体に、合成樹脂フィルムＦ、及び蓋材Ｂを被覆する状態を示す側面図。
【図８】（ａ）〜（ｃ）は、本発明における容器本体に、合成樹脂フィルムＦ、及び蓋材Ｂを被覆する状態を示す側面図。
【符号の説明】
１…底板    ２、３…側板    ４…三角コーナー板    ６…重合板
７、８…フランジ板    ９…枠体    １０、１１、１２…補助板
Ａ…被覆体    Ｂ…蓋材    Ｆ…合成樹脂フィルム    ａ〜ｉ…折目
【図１】
0003815135.tif 000002
【図２】
0003815135.tif 000003
【図３】
0003815135.tif 000004
【図４】
0003815135.tif 000005
【図５】
0003815135.tif 000006
【図６】
0003815135.tif 000007
【図７】
0003815135.tif 000008
【図８】
0003815135.tif 000009